(57)【要約】      （修正有）【課題】ユーザーが電子装置への操作利便性を向上するとともに、電子装置とタッチパネルを同時に制御することができるマウスプレゼンターを提供する。【解決手段】マウスプレゼンターは、上向き矢印ボタン、下向き矢印ボタン、左向き矢印ボタン、右向き矢印ボタン、トリガボタン、制御ユニット、タッチ部及びブルートゥースモジュールを含む。各ボタンは、それぞれ信号ＳＵＰ、ＳＤＷＮ、ＳＬＦＴ、ＳＲＧＴ、ＳＴＲＧ、を出力する。制御ユニットは、各信号を受信した後、その信号と対応する制御信号ＳＣＴＲを生成する。ブルートゥースモジュールは、制御信号を受信した後、その制御信号に基づいて外部の電子装置を駆動する。タッチ部は、制御信号を受信した後、その制御信号に基づいて外部のタッチパネルを駆動する。【選択図】図１
0003174310.tif 000002
【実用新案登録請求の範囲】
【請求項１】
ペン本体と、
前記ペン本体上に設けられ、上方向移動信号（ＳＵＰ）を出力する上向き矢印ボタンと、
前記ペン本体上に設けられ、下方向移動信号（ＳＤＷＮ）を出力する下向き矢印ボタンと、
前記ペン本体上に設けられ、左方向移動信号（ＳＬＦＴ）を出力する左向き矢印ボタンと、
前記ペン本体上に設けられ、右方向移動信号（ＳＲＧＴ）を出力する右向き矢印ボタンと、
前記ペン本体上に設けられ、トリガ信号（ＳＴＲＧ）を出力するトリガボタンと、
前記ペン本体内に設けられ、前記上方向移動信号（ＳＵＰ）、前記下方向移動信号（ＳＤＷＮ）、前記左方向移動信号（ＳＬＦＴ）、前記右方向移動信号（ＳＲＧＴ）又は前記トリガ信号（ＳＴＲＧ）を受信した後、その信号と対応する制御信号（ＳＣＴＲ）を生成するための制御ユニットと、
前記ペン本体内に設けられ、前記制御信号（ＳＣＴＲ）を受信した後、前記制御信号（ＳＣＴＲ）に基づいて外部の電子装置を駆動するためのブルートゥースモジュールと、
前記ペン本体の一端部に設けられ、外部のタッチパネルを駆動するためのタッチ部と、
を含むことを特徴とするマウスプレゼンター。
【請求項２】
前記上向き矢印ボタン、前記下向き矢印ボタン、前記左向き矢印ボタン及び前記右向き矢印ボタンは互いに隣接して設けられることを特徴とする請求項１に記載のマウスプレゼンター。
【請求項３】
前記トリガボタンは、前記上向き矢印ボタン、前記下向き矢印ボタン、前記左向き矢印ボタン及び前記右向き矢印ボタンに囲まれて設けられることを特徴とする請求項１または２に記載のマウスプレゼンター。
【請求項４】
前記ブルートゥースモジュールは、前記ペン本体の他端部に近いことを特徴とする請求項１ないし３のいずれかに記載のマウスプレゼンター。
【請求項５】
前記外部の電子装置は、パソコン、スマートフォン、ノートブック、タブレットコンピューター、電子ブック、スクリーン又は映写幕であることを特徴とする請求項１ないし４のいずれかに記載のマウスプレゼンター。
【請求項６】
前記タッチ部は、前記制御信号（ＳＣＴＲ）を受信した後、前記制御信号（ＳＣＴＲ）に基づいて前記外部のタッチパネルを駆動することを特徴とする請求項１ないし５のいずれかに記載のマウスプレゼンター。
【考案の詳細な説明】
【技術分野】
【０００１】
本考案は、マウスプレゼンター（ｍｏｕｓｅ ｐｒｅｓｅｎｔｅｒ）に関し、特にコンピューター又はプロジェクタのスクリーン（又は映写幕）におけるカーソルを制御するためのマウスプレゼンターに関するものである。
【背景技術】
【０００２】
科学技術の日進月歩に伴い、人々はより数多くの電子装置又はデジタル情報製品を使用するようになっている。これらの電子装置又はデジタル情報製品は、人々に音声、光源、影像といったものを含むものを制御するための操作インタフェースを提供することによって、機器設備、電子設備、音声設備、放映設備といった設備を制御できるようになっている。これにより、これらの電子装置又はデジタル情報製品は、良好な制御可能性を有するとともに、人々に対する様々なニーズを満足させることができる。
【０００３】
一般的に、これらの電子装置のいずれもソフトウェアとハードウェアを含むため、これらのソフトウェアとハードウェアの協力関係によって人々の様々な高品質・高機能性ニーズを実現することができる。ますます複雑化・多機能化されていく人々の高品質・高機能性ニーズに対して、人々がこれらの電子装置をより簡単に制御することができるように、これらの電子装置にマンマシンインタフェースが設けられることは一般的な手段である。
【０００４】
よく使用されている電子装置のマンマシンインタフェースの一例として、例えばマウスなどである。ユーザーがマウスを操作することによって電子装置（例えば、パソコン、スマートフォン、ノートブック、タブレットコンピューター、電子ブック、スクリーン、映写幕など）を制御することができる。但し、マウスの使用方法は、普通、ケーブルで電子装置に接続する必要があるため、使用に制限があり、利便性が悪いといった欠点がある。
【０００５】
また、ユーザーがオフィスでプレゼンテーションを行う際に、マウスで電子装置を操作しながらディスプレー（例えば、タッチパネルなど）において資料を閲覧したり、メールを受信したり、メモを取ったり、データを入力したりするなどの操作が必要であるため、マウスを操作することだけで複数の電子装置を同時に制御することができない欠点が存在する。
【０００６】
そこで、如何に有線マウスによる制限を解決することによって、ユーザーのために電子装置の操作利便性を向上させるとともに、ユーザーが電子装置を制御すると同時にタッチ機能を有するタッチパネルを制御することができるマウスプレゼンターを提供するかが、極めて期待されている。
【考案の概要】
【考案が解決しようとする課題】
【０００７】
本考案は、有線マウスによる制限を解決することによってユーザーのために電子装置の操作利便性を向上させるとともに、ユーザーが電子装置を制御すると同時にタッチ機能を有するタッチパネルを制御することができるマウスプレゼンターを提供することを課題とする。
【０００８】
本考案は上記課題に鑑みて成されたものであり、その目的は、有線マウスによる制限を解決することによって、ユーザーのために電子装置に対する操作利便性を向上させることにある。
【０００９】
また、本考案の他の目的は、マウスの代わりに、他の方式でコンピューターを制御することにある。
【００１０】
本考案の他の目的は、電子装置を制御すると同時に、チップ機能を有するタッチパネルを制御することによって、ワイヤレス方式で電子装置とタッチパネルを同時に制御することにある。
【課題を解決するための手段】
【００１１】
上記の目的を達成するために、本考案に係るマウスプレゼンター（ｍｏｕｓｅ ｐｒｅｓｅｎｔｅｒ）は、上向き矢印ボタン、下向き矢印ボタン、左向き矢印ボタン、右向き矢印ボタン、トリガボタン、制御ユニット、タッチ部及びブルートゥースモジュールを含む。上向き矢印ボタンは、上方向移動信号（ＳＵＰ）を出力する。下向き矢印ボタンは、下方向移動信号（ＳＤＷＮ）を出力する。左向き矢印ボタンは、左方向移動信号（ＳＬＦＴ）を出力する。右向き矢印ボタンは、右方向移動信号（ＳＲＧＴ）を出力する。トリガボタンは、トリガ信号（ＳＴＲＧ）を出力する。制御ユニットは、上方向移動信号（ＳＵＰ）、下方向移動信号（ＳＤＷＮ）、左方向移動信号（ＳＬＦＴ）、右方向移動信号（ＳＲＧＴ）又はトリガ信号（ＳＴＲＧ）を受信した後、その信号と対応する制御信号（ＳＣＴＲ）を生成する。ブルートゥースモジュールは、制御信号（ＳＣＴＲ）を受信した後、その制御信号（ＳＣＴＲ）に基づいて外部の電子装置を駆動する。タッチ部は、制御信号（ＳＣＴＲ）を受信した後、その制御信号（ＳＣＴＲ）に基づいて外部のタッチパネルを駆動する。
【考案の効果】
【００１２】
本考案に係るマウスプレゼンターは、有線マウスによる制限を解決して、ユーザーのためにワイヤレス方式で電子装置に対する操作利便性を向上させるとともに、ユーザーが移動しながらパソコン、スマートフォン、ノートブック、タブレットコンピューター、電子ブック、スクリーン又は映写幕などといった電子装置を操作することができると同時に、マウスプレゼンターにおける各種のボタンを押すことによってタッチ機能を有するタッチパネルを制御することができる。これにより、複数の電子装置を同時に制御する目的を達成することができるため、実用性と利便性を有する。
【図面の簡単な説明】
【００１３】
【図１】本考案に係るマウスプレゼンターのブロック模式図を示す。
【図２】本考案に係るマウスプレゼンターの使用模式図を示す。
【図３Ａ】本考案に係るマウスプレゼンターを利用してコンピューターを制御する模式図を示す。
【図３Ｂ】本考案に係るマウスプレゼンターを利用してタッチパネルを制御する模式図を示す。
【図４】本考案に係るマウスプレゼンターの他の使用模式図を示す。
【考案を実施するための形態】
【００１４】
図１と図２を参照して本考案を説明する。図１は、本考案に係るマウスプレゼンターのブロック模式図を示す。図２は、本考案に係るマウスプレゼンターの使用模式図を示す。図１と図２に示すように、マウスプレゼンター（例えば、マウスカーソルを制御するペンなど）１は、外部の電子装置９１を制御するためのものである。本実施例において、電子装置９１はパソコンであるが、これに限定されるものではない。電子装置９１は、例えばスマートフォン、ノートブック、タブレットコンピューター、電子ブック、スクリーン又は映写幕などといった電子装置であってもよい。
【００１５】
マウスプレゼンター１は、ペン本体１９、上向き矢印ボタン１１、下向き矢印ボタン１２、左向き矢印ボタン１３、右向き矢印ボタン１４、トリガボタン１６、制御ユニット１７、タッチ部１８及びブルートゥースモジュール１５を含む。図２に示すように、ペン本体１９は中空筒状構造体である。上向き矢印ボタン１１、下向き矢印ボタン１２、左向き矢印ボタン１３、右向き矢印ボタン１４及びトリガボタン１６のいずれもペン本体１９に設けられる。上向き矢印ボタン１１、下向き矢印ボタン１２、左向き矢印ボタン１３及び右向き矢印ボタン１４は互いに隣接して設けられる。トリガボタン１６がその四つの矢印ボタンに囲まれるように、それらの中央に設けられる。これにより、ユーザーが一つの指でトリガボタン１６とその四つの矢印ボタン（１１乃至１４）を簡単に操作することができる。
【００１６】
また、好ましい実施例において、ペン本体１９は金属材質であってもよいため、電磁妨害（ｅｌｅｃｔｒｏｍａｇｎｅｔｉｃ ｉｎｔｅｒｆｅｒｅｎｃｅ、ＥＭＩ）を抑制する効果を有する。ブルートゥースモジュール１５、タッチ部１８及び制御ユニット１７のいずれもペン本体１９の内部に設けられており、ブルートゥースモジュール１５はペン本体１９の一端部に設けられ、タッチ部１８はペン本体１９の他端部に設けられる。これにより、外部からのノイズ又は電磁波がブルートゥースモジュール１５、タッチ部１８及び制御ユニット１７の動作に干渉することなく、ブルートゥースモジュール１５はペン本体１９の一端部から信号を送信するとともに、ペン本体１９の他端部にあるタッチ部１８によって外部のタッチパネル（図１と図２において図示せず）を制御したり駆動したりすることができる。
【００１７】
また、ブルートゥースモジュール１５とタッチ部１８をペン本体１９の同一端部に設けてもよく、ブルートゥースモジュール１５とタッチ部１８を単一チップ又は単一モジュールに統合してもよい。これにより、電子装置を制御する効果を達成することができる。
【００１８】
図１に示すように、上向き矢印ボタン１１は上方向移動信号（ＳＵＰ）を、下向き矢印ボタン１２は下方向移動信号（ＳＤＷＮ）を、左向き矢印ボタン１３は左方向移動信号（ＳＬＦＴ）を、右向き矢印ボタン１４は右方向移動信号（ＳＲＧＴ）を、トリガボタン１６はトリガ信号（ＳＴＲＧ）を、それぞれ出力する。制御ユニット１７は、上方向移動信号（ＳＵＰ）、下方向移動信号（ＳＤＷＮ）、左方向移動信号（ＳＬＦＴ）、右方向移動信号（ＳＲＧＴ）又はトリガ信号（ＳＴＲＧ）を受信した後、その信号と対応する制御信号（ＳＣＴＲ）を生成する。ブルートゥースモジュール１５は、制御信号（ＳＣＴＲ）を受信した後、その制御信号（ＳＣＴＲ）に基づいて電子装置９１を駆動する。
【００１９】
電子装置９１を制御する模式図は図１と図３Ａに示すように、マウスプレゼンター１における上向き矢印ボタン１１と右向き矢印ボタン１４を手で同時に押すと、上方向移動信号（ＳＵＰ）と右方向移動信号（ＳＲＧＴ）をそれぞれ出力する。制御ユニット１７は、上方向移動信号（ＳＵＰ）と右方向移動信号（ＳＲＧＴ）を受信した後、それらの信号に対応する制御信号（ＳＣＴＲ）を出力してブルートゥースモジュール１５を制御する。これにより、電子装置９１におけるソフトウェアの操作画面でのカーソル９１１を右上方向へ移動させるように電子装置９１（本実施例において、ノートバックで例示する）を制御する。
【００２０】
また、カーソル９１１をある所定のエリア（例えば、電子装置９１の画面における起動エリア）に移動させた後、トリガボタン１６をユーザーの手で押すことによってトリガボタン１６がトリガ信号（ＳＴＲＧ）を出力し、制御ユニット１７によって出力されたトリガ信号（ＳＴＲＧ）に対応する制御信号（ＳＣＴＲ）に応じて、スクリーンの表示画面における所定の機能選択画面（例えば、電子装置９１における所定のソフトウェアの機能）をクリックする。
【００２１】
図３Ａと図３Ｂを参照して説明する。図３Ｂは、本考案に係るマウスプレゼンターを利用してタッチパネルを制御する模式図を示す。図３Ａと図３Ｂに示すように、ユーザーがオフィスでプレゼンテーションを行う際に、マウスプレゼンター１によって電子装置９１を操作すると同時に、タッチ部１８によってタッチパネル９５をタッチすることでタッチパネル９５で資料を閲覧したり、メールを受信したり、メモを取ったり、データを入力したりするなどの操作を行うことができる。これにより、ユーザーがブルートゥースモジュール１５によって電子装置９１をワイヤレス方式で制御する目的を達成するとともに、タッチ部１８によってタッチパネル９５をタッチすることで複数の電子装置やコンピューターを同時に制御する目的を達成することができる。
【００２２】  また、現在の技術では、タッチパネル９５を既にノートブック、スマートフォン、タブレットコンピューター、電子ブック、（公序良俗違反につき、不掲載）などの電子装置に適用することができるようになった。これにより、マウスプレゼンター１はそれらの電子装置９１に対応する多機能の制御特性を持つようになっている。
【００２３】
また、図１に示すように、タッチ部１８は、制御ユニット１７にカップリングされ、制御ユニット１７が出力した制御信号（ＳＣＴＲ）を受信して、受信した制御信号（ＳＣＴＲ）に基づいてタッチパネル９５を駆動する。一般的には、タッチ部１８がタッチパネル９５を駆動する原理は構造と検知方法によって異なるが、抵抗式タッチ方式、容量式タッチ方式、音波式タッチ方式、光学式タッチ方式、電磁式タッチ方式などに分けられる。
【００２４】
一般的には、タッチ部１８がタッチパネル９５の表面をタッチすると、アナログ信号が出力され、タッチパネル９５の内部における制御器によってアナログ信号をデジタル信号に転換して、タッチパネル９５におけるタッチ駆動プログラムによって各部品を整合したりコンパイラしたりした後、ディスプレーカードから表示信号を出力して、タッチプネル９５の画面にタッチ部１８でタッチされた位置を表示する。これにより、有線マウスの代わりに、本考案に係るマウスプレゼンター１は、ブルートゥースモジュール１５のブルートゥース通信技術によってユーザーがマウスプレゼンター１の各種のボタンを使用して電子装置９１（例えば、パソコン、スマートフォン、ノートブック、タブレットコンピューター、電子ブック、スクリーン、映写幕など）におけるソフトウェアを操作することができる。
【００２５】
また、本考案に係るマウスプレゼンター１は、ワイヤレス方式で電子装置９１を制御することができるだけではなく、ユーザーが電子装置９１を操作しながらタッチ機能を有する他のタッチパネル９５を制御してタッチパネル９５で資料を閲覧したり、メールを受信したり、メモを取ったり、データを入力したりするなどの操作を行うことができるため、使用利便性が非常に高い。
【００２６】
続いて、本考案の他の実施例を説明する。図４は本考案に係るマウスプレゼンターの他の使用模式図を示す。図４に示すように、マウスプレゼンター１の制御対象物としては、パソコン９２と連接するプロジェクタ９３であってもよい。パソコン９２とプロジェクタ９３を制御する方法としては、ブルートゥースモジュール１５によってプロジェクタ９３をワイヤレス方法で制御して、プロジェクタ９３を介してパソコン９２のソフトウェアの操作画面を映写幕９４（又はスクリーン）に投影するようにしてもよい。これにより、ユーザーがマウスプレゼンター１を押すことによって、映写幕９４（又はスクリーン）に投影されたソフトウェアの操作画面を見ながらパソコン９２を制御することができる。
【００２７】
上述したように、本考案に係るマウスプレゼンター１は、有線マウスによる制限を解決して、ユーザーが電子装置に対する操作利便性を向上するとともに、ユーザーが移動しながらパソコン、スマートフォン、ノートブック、タブレットコンピューター、電子ブック、スクリーン又は映写幕などといった電子装置を操作することができると同時に、タッチ機能を有する他のタッチパネルを制御してタッチパネルで資料を閲覧したり、メールを受信したり、メモを取ったり、データを入力したりするなどの操作を行うことができるため、実用性と利便性を有する。
【００２８】
上述したものは、本考案の好ましい実施例に過ぎず、本考案の実施の範囲を限定するためのものではない。また、本考案の明細書及び図面内容に基づいてなされた均等な変更および付加は、いずれも本考案の特許請求の範囲内に含まれるものとする。
【産業上の利用可能性】
【００２９】
本考案に係るマウスプレゼンターは、有線マウスによる制限を解決して、ユーザーが電子装置に対する操作利便性を向上するとともに、ユーザーが移動しながらパソコン、スマートフォン、ノートブック、タブレットコンピューター、電子ブック、スクリーン又は映写幕などといった電子装置を操作することができると同時に、タッチ機能を有する他のタッチパネルを制御してタッチパネルで資料を閲覧したり、メールを受信したり、メモを取ったり、データを入力したりするなどの操作を行うことができるため、様々な電子装置に適用できる。
【符号の説明】
【００３０】
１  マウスプレゼンター
１１  上向き矢印ボタン
１２  下向き矢印ボタン
１３  左向き矢印ボタン
１４  右向き矢印ボタン
１５  ブルートゥースモジュール
１６  トリガボタン
１７  制御ユニット
１８  タッチ部
１９  ペン本体
９１  電子装置
９２  パソコン
９３  プロジェクタ
９４  映写幕（又はスクリーン）
９５  タッチパネル
９１１  カーソル
ＳＵＰ  上方向移動信号
ＳＤＷＮ  下方向移動信号
ＳＬＦＴ  左方向移動信号
ＳＲＧＴ  右方向移動信号
ＳＴＲＧ  トリガ信号
ＳＣＴＲ  制御信号
【図１】
0003174310.tif 000003
【図２】
0003174310.tif 000004
【図３Ａ】
0003174310.tif 000005
【図３Ｂ】
0003174310.tif 000006
【図４】
0003174310.tif 000007
【手続補正書】
【提出日】平成24年1月13日(2012.1.13)
【手続補正１】
【補正対象書類名】明細書
【補正対象項目名】００２２
【補正方法】変更
【補正の内容】
【００２２】
また、現在の技術では、タッチパネル９５を既にノートブック、スマートフォン、タブレットコンピューター、電子ブックなどの電子装置に適用することができるようになった。これにより、マウスプレゼンター１はそれらの電子装置９１に対応する多機能の制御特性を持つようになっている。